(57)【特許請求の範囲】
【請求項１】
複数種のマイグレーションルールを記録したマイグレーションルール記録部と、
マイグレーションルール名と、ユーザ名、ユーザグループ名の少なくともいずれかと対応付けて管理する手段とを具備し、
ファイルへのアクセスが行われた時のユーザ名若しくはユーザグループ名に基づき前記管理手段からマイグレーションルール名を取得し、そのマイグレーションルール名により前記マイグレーションルール記録部から取り出したマイグレーションルールに従いストレージデバイス間に於けるファイルのマイグレーションを行うことを特徴とするＨＳＭシステム。
【請求項２】
複数種のマイグレーションルールを記録したマイグレーションルール記録部と、
マイグレーションルール名と、ユーザ名若しくはユーザグループ名の少なくともいずれかと対応付けて管理するユーザ管理データ記憶部と
ファイルアクセスが行われたときのアクセス情報およびユーザ名が履歴として記録されるアクセス履歴テーブルと、
前記アクセス履歴テーブルから得られるユーザ名に基づき前記ユーザ管理データ記憶部から当該ユーザ名若しくはユーザグループ名に対応するマイグレーションルール名を取得し、そのマイグレーションルール名により前記マイグレーションルール記録部から取り出したマイグレーションルールに従いストレージデバイス間に於けるファイルのマイグレーション処理を実行するファイルアクセス制御部と
を具備することを特徴とするＨＳＭシステム。
【請求項３】
高速ストレージデバイスと低速ストレージデバイスとを管理下に置くＨＳＭシステムに於いて、
アクセス元からのファイルアクセスをチェックするファイルアクセスフィルタと、
前記ファイルアクセスフィルタでチェックしたアクセスの内容を、アクセス元のユーザ名、ユーザグループ名の少なくともいずれかを含んで記録するアクセス履歴テーブルと、
ユーザ名若しくはユーザグループ名毎のボリュームへのアクセスの仕方に合わせた、複数種のマイグレーションルールを記録したマイグレーションルール記録部と、
マイグレーションルール名と、ユーザ名若しくはユーザグループ名の少なくともいずれかと対応付けて記録したユーザ管理データ記録部と、
前記アクセス履歴テーブルから得られるユーザ名に基づき前記ユーザ管理データ記憶部から当該ユーザ名若しくはユーザグループ名に対応するマイグレーションルール名を取得し、そのマイグレーションルール名により前記マイグレーションルール記録部から取り出したマイグレーションルールに従いストレージデバイス間に於けるファイルのマイグレーション処理を実行するファイルアクセス制御部と
を具備することを特徴とするＨＳＭシステム。
【請求項４】
ＨＳＭシステムのマイグレーション制御方法に於いて、
複数種のマイグレーションルールを予め用意し、
マイグレーションルール名と、ユーザ名、ユーザグループ名の少なくともいずれかと対応付けて管理し、
ファイルへのアクセスが行われた時のユーザ名若しくはユーザグループ名から対応するマイグレーションルールを取得し、
その取得されたマイグレーションルールに従いストレージデバイス間に於けるファイルのマイグレーションを行う
ことを特徴とするＨＳＭシステムのマイグレーション制御方法。
【請求項５】
ＨＳＭシステムのマイグレーション制御方法に於いて、
マイグレーションルール記録部に複数種のマイグレーションルールを予め用意し、
ユーザ管理データ記憶部にマイグレーションルール名と、ユーザ名、ユーザグループ名の少なくともいずれかと対応付けて記録し、
アクセス履歴テーブルにファイルアクセスが行われたときのアクセス情報およびユーザ名を記録し、
前記アクセス履歴テーブルから得られるユーザ名に基づき前記ユーザ管理データ記憶部から当該ユーザ名若しくはユーザグループ名に対応するマイグレーションルール名を取得し、
そのマイグレーションルール名により前記マイグレーションルール記録部から取り出したマイグレーションルールに従いストレージデバイス間に於けるファイルのマイグレーション処理を実行するファイルアクセス制御する
ことを特徴とするＨＳＭシステムのマイグレーション制御方法。
【発明の詳細な説明】
【０００１】
【発明の属する技術分野】
本発明は、階層型記憶機構を実現するＨＳＭシステム、およびＨＳＭシステムのマイグレーション制御方法に関する。
【０００２】
【従来の技術】
ＨＳＭシステム（Hierarchical Storage Management  Systems；階層型記憶装置管理システム）に於いては、一般に、アクセススピードの比較的速いストレージデバイスと、アクセススピードの比較的遅い大容量のストレージデバイスとを管理下に置き、予め決められたマイグレーションルールに従って上記各ストレージデバイス間のマイグレーション（migration）を実施している。この際のＨＳＭシステムの管理下に置かれる、アクセススピードの比較的遅いデバイスとしては、例えば、ＭＯ、ＤＶＤ−ＲＡＭ等の記録媒体を用いて大容量の情報記憶を可能にしたオートチェンジャデバイス等を挙げることができ、また、アクセススピードの比較的速い高速ストレージデバイスとしては、例えばＨＤＤ、半導体メモリ、ＨＤＤと半導体メモリを組み合わせたキャッシュメモリシステム等を挙げることができる。
【０００３】
従来のこの種、ＨＳＭシステムに於いては、管理者等により、あらかじめ設定されたマイグレーションルールに則って、上記各ストレージデバイス間でのファイルのマイグレーションを実施している。
【０００４】
即ち、従来では、種々のファイルへのアクセスの仕方について、それぞれ、そのＨＳＭのシステムに設定された同一のマイグレーションルールが適用されていた。従って、従来では、アクセスするユーザ名、または、ユーザグループ名毎に、ファイルへのアクセスの仕方（ボリュームの使用のされ方）に違いがあっても、そのアクセスの仕方に合致したマイグレーションルールが適用されるとは限らず、アクセスの仕方に合致しないマイグレーションルールが適用される場合がある。このため、ユーザ名またはユーザグループ名毎にファイルへのアクセスの仕方が異なる、様々なアクセスパターンのファイルアクセスを共通に扱うＨＳＭシステムに於いては、ファイルへのアクセスの効率が落ちてしまうという問題があった。
【０００５】
【発明が解決しようとする課題】
上述したように、従来のＨＳＭシステムに於いては、システムにあらかじめ設定されたマイグレーションルールによってファイルの移送が行われることから、ユーザ名またはユーザグループ名毎にファイルへのアクセスの仕方が異なる様々なアクセスパターンのファイルアクセスを共通に扱うＨＳＭシステムに於いては、ファイルへのアクセスの効率が落ちてしまうという問題があった。
【０００６】
本発明は上記実情に鑑みなされたもので、ユーザ名またはユーザグループ名ごとにファイルへのアクセスの仕方が異なる様々なアクセスパターンのファイルアクセスを共通に扱う場合であっても、それらの各ファイルアクセスをユーザ名またはユーザグループ名のアクセスの仕方に合わせて効率よく実行することのできるＨＳＭシステムを提供することを目的とする。
【０００７】
更に、本発明は、管理者によるマイグレーションルールの設定、変更等に伴う操作負担を軽減して、ユーザ名またはユーザグループ名毎にファイルへのアクセスの仕方が異なる様々なアクセスパターンのファイルアクセスに対して常に最適なマイグレーションルールを設定できるＨＳＭシステムのマイグレーション制御方法を提供することを目的とする。
【０００８】
【課題を解決するための手段】
本発明は、ユーザ名またはユーザグループ名に於けるファイルへのアクセスの仕方（ＨＳＭシステム側からみたとき、ファイルへのアクセスのされ方）に合わせて、最適なマイグレーションルールを選択し、その選択したマイグレーションルールを使用してマイグレーションを実施する、マイグレーションルールの動的変更機能を備えて、ユーザ名またはユーザグループ名ごとにファイルへのアクセスの仕方が異なる様々なアクセスパターンのファイルアクセスに対して、アクセス効率を向上させたことを特徴とする。
【０００９】
即ち、本発明は、複数種のマイグレーションルールを記録したマイグレーションルール記録部と、マイグレーションルール名と、ユーザ名、ユーザグループ名の少なくともいずれかと対応付けて管理する手段とを具備し、ファイルへのアクセスが行われた時のユーザ名若しくはユーザグループ名に基づき前記管理手段からマイグレーションルール名を取得し、そのマイグレーションルール名により前記マイグレーションルール記録部から取り出したマイグレーションルールに従いストレージデバイス間に於けるファイルのマイグレーションを行うことを特徴とする。
【００１０】
また、本発明は、ＨＳＭシステムのマイグレーション制御方法に於いて、複数種のマイグレーションルールを予め用意し、マイグレーションルール名と、ユーザ名、ユーザグループ名の少なくともいずれかと対応付けて管理し、ファイルへのアクセスが行われた時のユーザ名若しくはユーザグループ名から対応するマイグレーションルールを取得し、その取得されたマイグレーションルールに従いストレージデバイス間に於けるファイルのマイグレーションを行うことを特徴とする。
【００１１】
【発明の実施の形態】
以下、図面を参照して本発明の一実施形態を説明する。
【００１２】
図１は本発明の一実施形態に於けるシステム全体の構成を示すブロック図であり、ここでは、ＨＳＭシステム１０の管理下に、高速のストレージデバイスとしてハードディスク装置２１が設けられ、低速の大容量ストレージデバイスとして、ＭＯ、ＤＶＤ−ＲＡＭ等のメディアを用いたオートチェンジャ装置２２が設けられた構成例を示している。
【００１３】
上記ＨＳＭシステム１０には、ファイルアクセスフィルタ１１、アクセス履歴テーブル１２、ファイルシステム１３、ファイル配置管理データテーブル１４、マイグレーションルール記録部１５、ユーザ管理データ記録部１６、ファイルアクセス制御部１７、ハードディスク制御部１８、オートチェンジャドライブ制御部１９、オートチェンジャディスク搬送制御部２０等の各構成要素が設けられる。
【００１４】
ファイルアクセスフィルタ１１は、アクセス要求元となるユーザ（上位システム）からのファイルアクセスについて、そのアクセス内容をチェックして、アクセス要求元となるユーザのユーザ名若しくはユーザグループ名と、そのアクセス内容（例えばリードコマンド発生、ライトコマンド発生、ファイルの作成、更新等）をアクセス履歴テーブル１２に記録するとともに、受け付けたアクセス要求をファイルシステム１３に渡す。
【００１５】
アクセス履歴テーブル１２は、ファイルアクセスフィルタ１１でフィルタリングによりチェックしたアクセス元のユーザ名、若しくはユーザグループ名を含むアクセス内容を取り込み、新規なアクセス内容をもとにデータ更新を行って、その内容（ユーザ名若しくはユーザグループ名と、リードコマンド発生回数、ライトコマンド発生回数、ファイルの新規作成回数、ファイルの更新回数等）を記憶する。
【００１６】
ファイルシステム１３は、ファイルアクセスフィルタ１１でチェックしたユーザからのファイルへのアクセス要求を受け付けてファイルアクセス制御部１７にファイル要求を行い、管理対象にある各ファイルの入出力管理を行う。
【００１７】
ファイル配置管理データテーブル１４は、ＨＳＭシステム１０の管理対象下に置かれた各ストレージデバイス、即ちハードディスク装置２１、およびオートチェンジャ装置２２に記憶される各ファイルの管理データ等を記録している。
【００１８】
マイグレーションルール記録部１５は、ＨＳＭシステム１０のアクセス元となるユーザ名若しくはユーザグループ名毎の、ファイルアクセス及びボリュームへのアクセスの仕方に合わせて、予め設定された、複数種のマイグレーションルールを記録している。
【００１９】
ユーザ管理データ記録部１６は、マイグレーションルール記録部１５に記録された複数種のマイグレーションルールと、ユーザ名、ユーザグループ名の少なくともいずれかと対応付けて管理するテーブルを有する。
【００２０】
ここでは、図２乃至図４に示すように、ユーザ管理テーブル（ＴＢＬ−Ａ）１６−１と、ルール管理テーブル（ＴＢＬ−Ｂ）１６−２が設けられている。このうち、ユーザ管理テーブル（ＴＢＬ−Ａ）１６−１には、図２に示すように、ＨＳＭシステム１０の管理者等により予め設定された、マイグレーションルールを適用するユーザ名（user-xxx）およびユーザグループ名（Group-xx）が登録される。
【００２１】
また、ルール管理テーブル（ＴＢＬ−Ｂ）１６−２は２つの設定が可能で、図３に示す例では、ボリューム（vol-xxx）毎に対応付けてグループ共通のマイグレーションルール名（rule-x）とユーザグループ名（user-x）が記録され、また図４に示す例では、ボリューム（vol-xxx）毎に対応付けてユーザ名（user-xxx）とマイグレーションルール名（rule-xx）記録される。
【００２２】
ファイルアクセス制御部１７は、上記アクセス履歴テーブル１２を参照してアクセス元のボリュームへのアクセス記録から、アクセス元のユーザ名若しくはユーザグループ名を取得し、当該ユーザ名若しくはユーザグループ名をもとに上記ユーザ管理データ記録部１６に記録された管理データを参照して、上記マイグレーションルール記録部１５から適合するマイグレーションルールを得る。そして、得られたマイグレーションルールに従うファイルのアクセスおよびマイグレーション処理を実行し、ハードディスク装置２１およびオートチェンジャ装置２２に格納される各ファイルを管理する。
【００２３】
ハードディスク制御部１８は、ファイルアクセス制御部１７の制御の下に、高速ストレージデバイスとして設けられたハードディスク装置２１に対してファイルのリード／ライトアクセス制御を行う。
【００２４】
オートチェンジャドライブ制御部１９は、ファイルアクセス制御部１７の制御の下に、低速大容量ストレージデバイスとして設けられたオートチェンジャ装置２２のドライブ（ＭＯドライブ、ＤＶＤ−ＲＡＭドライブ等）に対して、ファイルのリード／ライトアクセス制御を行う。
【００２５】
オートチェンジャディスク搬送制御部２０は、ファイルアクセス制御部１７の制御の下に、オートチェンジャ装置２２に装填された記録憶媒体（ＭＯ、ＤＶＤ−ＲＡＭ等のディスク）の搬送制御を行う。
【００２６】
図２は、上記ユーザ管理データ記録部１６に設けられたユーザ管理テーブル（ＴＢＬ−Ａ）１６−１の一構成例を示す図であり、ＨＳＭシステム１０の管理者等により予め設定された、マイグレーションルールを適用するユーザ名とユーザグループ名との対応が設定され登録される。
【００２７】
図３は、上記ユーザ管理データ記録部１６に設けられた、ユーザグループ名毎にマイグレーションルールを設定した場合のルール管理テーブル（ＴＢＬ−Ｂ）の一構成例を示す図であり、ここでは、上記ユーザ管理テーブル（ＴＢＬ−Ａ）１６−１に登録された各ユーザ名（user-xxx）が所属するユーザグループ名（Group-x）と、その各ユーザグループ名が適用するマイグレーションルール名（rule-x）がボリューム（vol-xx）毎に対応付けて記録される。
【００２８】
図４は、上記ユーザ管理データ記録部１６に設けられた、ユーザ名毎にマイグレーションルールを設定した場合のルール管理テーブル（ＴＢＬ−Ｂ）の一構成例を示す図であり、ここでは、上記ユーザ管理テーブル（ＴＢＬ−Ａ）１６−１に登録された各ユーザ名（user-xxx）と、その各ユーザ名が適用するマイグレーションルール名（rule-xx）がボリューム（vol-xx）毎に対応付けて記録される。
【００２９】
本発明に於けるマイグレーション制御では、上記図３に示すユーザグループ名を単位としたルール管理テーブル（ＴＢＬ−Ｂ）１６−２と、上記図４に示すユーザ名を単位としたルール管理テーブル（ＴＢＬ−Ｂ）１６−２とを組み合わせて制御することを可能とする。
【００３０】
即ち、マイグレーションルール名がユーザ名毎に設定されていれば、ユーザ名毎に設定したパラメータに従うマイグレーションルールを用いマイグレーション制御が行われる。一方、ユーザ名毎に設定されていなければ、上記ユーザ管理テーブル（ＴＢＬ−Ａ）１６−１を参照して、当該ユーザが所属するユーザグループ名毎に設定したパラメータに従うマイグレーションルールを用いマイグレーション制御が行われる。なお、ここでは、上記した各ルール管理テーブル（ＴＢＬ−Ｂ）１６−２をそれぞれ単独で用いたマイグレーション制御を例にとって説明する。
【００３１】
ここで、上記各図を参照して本発明の実施形態に於けるＨＳＭシステム１０のマイグレーション制御動作について説明する。
【００３２】
ＨＳＭシステム１０を管理するシステム管理者は、使用開始時にマイグレーションルールを適用するユーザ名の登録と、必要であれば同一のマイグレーションルールを適用するユーザグループ名の設定を行い、併せて、登録したユーザ名およびユーザグループ名に適用するマイグレーションルール名を設定する。ここで設定されたユーザ名およびユーザグループ名は、ユーザ管理データ記録部１６のユーザ管理テーブル（ＴＢＬ−Ａ）１６−１に記録される。また、ユーザ名およびユーザグループ名に適用するマイグレーションルール名はルール管理テーブル（ＴＢＬ−Ｂ）１６−２に記録される。なお、各ユーザ名またはユーザグループ名に対して適用する複数種のマイグレーションルールそのものは、マイグレーションルール記録部１５に記録されており、マイグレーションルール名によってファイルアクセス制御部１７に取り出される。
【００３３】
ここで設定されるマイグレーションルールは、ライトしたファイルの処理（１）、リードしたファイルの処理（２）、ハードディスク装置２１の空き容量が少なくなってきたときにハードディスク装置２１上のファイルをオートチェンジャ装置２２のメディアに移動し、そのファイルをハードディスク装置２１から削除して空き容量を確保する処理（３）等によって定義する。
【００３４】
パターン１；データ蓄積型
アクセスの殆どが書き込みの処理で、新規のファイルを次々と続けて書き込んでいく使われ方。ハードディスク装置２１の空きエリアを常に用意しておき、新規の書き込みを効率よく行なわれることを目的とする。
【００３５】
（１）．ライトしたファイルをハードディスク装置２１に一旦書き込むが、すぐにオートチェンジャ装置２２のメディアへのファイルの移送（マイグレーション）を行なう。
【００３６】
（２）．オートチェンジャ装置２２のメディアから読み出したファイルは、ハードディスク装置２１にキャッシュしない。
【００３７】
（３）．パージ（ｐｕｒｇｅ）処理（データの吐き出し）が発生した場合は、ハードディスク装置２１の中でファイルサイズの大きいファイルから選択し、オートチェンジャ装置２２のメディアへ移動を行ない、ハードディスク装置２１上の空きエリア領域をより多く確保する。
【００３８】
パターン２；データ更新型
ボリューム上の更新が多く発生する使われ方。ファイルの更新がハードディスク装置２１上で行なわれ、ファイルの更新が効率よく行なわれることを目的とする。
【００３９】
（１）．ライトしたファイルは、ハードディスク装置２１に書き込み、キャッシュする。
【００４０】
（２）．オートチェンジャ装置２２のメディアから読み出したファイルは、ハードディスク装置２１にキャッシュする。
【００４１】
（３）．パージ処理が発生した場合は、ハードディスク装置２１の中で更新処理の少ないファイルを選択してオートチェンジャ装置２２のメディアへ移動し、そのファイルはハードディスク装置２１上から削除する。
【００４２】
パターン３；データ参照型
アクセスのほとんどがリードの処理で、書き込みが殆どない。リードアクセスの多いファイルをハードディスク装置２１上に置いておき、ファイルへのアクセスを効率よく行なうことを目的とする。
【００４３】
（１）．ライトしたファイルは、ハードディスク装置２１に書き込み、キャッシュする。
【００４４】
（２）．オートチェンジャ装置２２のメディアから読み出したファイルは、ハードディスク装置２１にキャッシュする。
【００４５】
（３）．パージ処理が発生した場合は、ハードディスク装置２１の中でリードのヒット数の少ないファイルを選択してオートチェンジャ装置２２のメディアへ移動し、そのファイルはハードディスク装置２１上から削除する。
【００４６】
以下に、ユーザがファイルアクセスを行う場合のＨＳＭシステム１０の動作について記述する。
【００４７】
ユーザ（上位のシステム側）からファイルのアクセス要求が発生すると、そのファイルアクセスに対して、ファイルアクセスフィルタ１１はボリュームへのアクセスチェックを行い、そのチェックしたファイルアクセスの内容をアクセス履歴テーブル１２に記録する。この際、アクセス履歴テーブル１２には、ボリュームのファイルアクセスに対して、「書き込み回数と読み出し回数」、「ファイルの新規作成回数と更新回数」「ファイルを作成したユーザ名」等がそれぞれ記録される。
【００４８】
ファイルシステム１３を介してユーザのアクセス要求を受け取ったファイルアクセス制御部１７は、アクセス履歴テーブル１２に記録されたアクセス内容から、アクセス要求されたファイルを作成したユーザ名を特定し、ユーザ管理データ記録部１６のユーザ管理テーブル（ＴＢＬ−Ａ）１６−１、およびルール管理テーブル（ＴＢＬ−Ｂ）１６−２を参照して、ファイルを作成したユーザ名またはユーザグループ名に設定されているマイグレーションルール名を特定する。
【００４９】
ファイルアクセス制御部１７は、上記ユーザ管理データ記録部１６のルール管理テーブル（ＴＢＬ−Ｂ）１６−２を参照して上記特定したマイグレーションルール名に対応するマイグレーションルールを上記マイグレーションルール記録部１５より取得し、そのマイグレーションルールに従って、ユーザからのファイルのアクセス処理を実施し、処理したファイルについての情報（現在ファイルが存在するデバイス情報など）をファイル配置管理データテーブル１４に記録して処理を終了する。
【００５０】
この際の処理例として、上記した３種のマイグレーションルール（パターン１、パターン２、パターン３）の中からパターン２（＝データ更新型）のマイグレーションルールが取得された場合のファイルの新規作成（ライト処理）について説明する。
【００５１】
１）．ファイルアクセスフィルタ１１は、ファイルの新規作成と、ライトコマンドが発生したことをアクセス履歴テーブル１２に記録する。この際、ファイルアクセスフィルタ１１は、ファイルの新規作成とライトコマンドが発生したことを、このファイルを作成したユーザ名とともに、アクセス履歴テーブル１２に記録する。
【００５２】
２）．ファイルシステム１３を介してファイルへのアクセス要求を受け取ったファイルアクセス制御部１７は、ファイル配置管理データテーブル１４を参照してハードディスク装置２１の空き領域をチェックし、その新規作成ファイルの書き込みが可能であるか否かをチェックする。
【００５３】
３）．ハードディスク装置２１に空き領域があり、書き込み可能であった場合、ファイルアクセス制御部１７は新規作成ファイルをハードディスク装置２１に書き込み、ファイル配置管理データテーブル１４の管理デーブルにその履歴を記録して処理を終了する。
【００５４】
４）．一方、ハードディスク装置２１に新規作成ファイルを書き込めるだけの空き領域がなかった場合、ファイルアクセス制御部１７はファイル配置管理データテーブル１４をチェックし、更新処理の最も少ないファイルをハードディスク装置２１からオートチェンジャ装置２２内のメディアに移送（マイグレーション）する。そして、ハードディスク装置２１内に新規作成ファイルが収まる空き領域を確保して、その領域へ新規作成ファイルを書き込み、またファイル配置管理データテーブル１４の管理デーブルにその履歴を記録して処理を終了する。
【００５５】
上述したように、ＨＳＭシステムにアクセスするユーザ名またはユーザグループ名毎にマイグレーションルールの設定を行うことで、ファイルへのアクセス効率を向上させることができるとともに、管理者の負担を軽減することができる。
【００５６】
【発明の効果】
以上詳記したように本発明のＨＳＭシステムによれば、ユーザ名毎、ユーザグループ名毎にそれぞれファイルへのアクセスの仕方が異なる、様々なアクセスパターンのファイルアクセスを共通に扱う場合であっても、それらの各ファイルアクセスを効率よく実行することができる。
【００５７】
更に、ＨＳＭシステムのマイグレーション制御に於いて、管理者によるマイグレーションルールの設定、変更等に伴う操作負担を軽減して、ユーザ名やユーザグループ名毎に異なる様々なアクセスパターンのファイルアクセスに対して常に最適なマイグレーションルールを設定できる。
【図面の簡単な説明】
【図１】本発明の実施形態によるＨＳＭシステムの構成を示すブロック図。
【図２】上記実施形態に於けるユーザ管理データ記録部に設けられたユーザ管理テーブル（ＴＢＬ−Ａ）の一構成例を示す図。
【図３】上記実施形態に於けるユーザ管理データ記録部に設けられた、ユーザグループ名毎にマイグレーションルールを設定した場合のルール管理テーブル（ＴＢＬ−Ｂ）の一構成例を示す図。
【図４】上記実施形態に於ける管理データ記録部に設けられた、ユーザ名毎にマイグレーションルールを設定した場合のルール管理テーブル（ＴＢＬ−Ｂ）の他の構成例を示す図。
【符号の説明】
１０…ＨＳＭシステム（階層型記憶装置管理システム）
１１…ファイルアクセスフィルタ
１２…アクセス履歴テーブル
１３…ファイルシステム
１４…ファイル配置管理データテーブル
１５…マイグレーションルール記録部
１６…ユーザ管理データ記録部
１６−１…ユーザ管理テーブル（ＴＢＬ−Ａ）
１６−２…ルール管理テーブル（ＴＢＬ−Ｂ）
１７…ファイルアクセス制御部
１８…ハードディスク制御部
１９…オートチェンジャドライブ制御部
２０…オートチェンジャディスク搬送制御部
２１…ハードディスク装置
２２…オートチェンジャ装置
２３…オートチェンジャディスクドライブ
【図１】
0003727896.tif 000002
【図２】
0003727896.tif 000003
【図３】
0003727896.tif 000004
【図４】
0003727896.tif 000005